(57)【要約】【課題】スイベルジョイント４４を迂回させる制約があっても、別の配管装置を必要とせず、接続作業を容易にできるホース装置４９ｂを提供する。【解決手段】可撓性を有するホース本体５１の先端に、ベンディングホース５２の一端を取り付ける。ベンディングホース５２は、一端側および他端側にそれぞれ曲げ部５４，５５を有するとともにこれら曲げ部５４，５５間に直線部５６を有する略コ字形に形成する。ベンディングホース５２の他端にはスイベルジョイント４４に結合する継手７３を設ける。ホース本体５１をスイベルジョイント４４の周面一側の方向から導き、ベンディングホース５２をスイベルジョイント４４の周面他側に接続する。スイベルジョイント４４を迂回させる制約があっても、別の配管装置を必要とせず、接続作業を容易にできる。【選択図】　　　　図１
2004116197.tif 000002
【特許請求の範囲】
【請求項１】
作業機械のスイベルジョイントに接続されるホース装置であって、
スイベルジョイントを迂回して配置される可撓性を有するホース本体と、
一端および他端がスイベルジョイント側に向き、一端がスイベルジョイントを迂回されるホース本体の先端に取り付けられ、他端がスイベルジョイントに接続されるベンディングホースと
を具備したことを特徴とするホース装置。
【請求項２】
ベンディングホースは、一端側および他端側にそれぞれ曲げ部を有するとともにこれら曲げ部間に直線部を有する略コ字形に形成された
ことを特徴とする請求項１記載のホース装置。
【請求項３】
ベンディングホースの他端に、スイベルジョイントに着脱可能に結合する継手を設けた
ことを特徴とする請求項１または２記載のホース装置。
【請求項４】
下部走行体と、
下部走行体に旋回可能に設けられた上部旋回体と、
上部旋回体の旋回中心に設けられ、周面および下部に複数のホース接続部をそれぞれ有し、これら周面および下部のホース接続部を通じて上部旋回体と下部走行体との間で作動流体を流通させるスイベルジョイントと、
ベンディングホースの一端のホース本体がスイベルジョイントの周面一側の方向から導かれ、ベンディングホースの他端がスイベルジョイントの周面他側のホース接続部に接続された請求項１乃至３のいずれか記載のホース装置と
を具備したことを特徴とする作業機械。
【発明の詳細な説明】
【０００１】
【発明の属する技術分野】
本発明は、作業機械のスイベルジョイントに接続されるホース装置、およびこのホース装置を備えた作業機械に関する。
【０００２】
【従来の技術】
一般に、作業機械として油圧ショベルは、自走可能な下部走行体を備え、この下部走行体の上部に上部旋回体が旋回可能に設けられている。上部旋回体の旋回中心にはスイベルジョイントが配置され、このスイベルジョイントによって下部走行体と旋回する上部旋回体との間での作動油の流通を可能としている（例えば、特許文献１参照。）。
【０００３】
例えば、図５および図６に示すように、下部走行体１の上部に上部旋回体２が旋回可能に設けられ、上部旋回体２の旋回中心にスイベルジョイント３が配置されている。このスイベルジョイント３は、上部旋回体２側に取り付けられた外筒４、およびこの外筒４内を回動可能とするとともに外筒４の下部から一部が突出して下部走行体１側に取り付けられた内筒５を有している。外筒４の周面の一側および他側に複数のホース接続部６ａ，６ｂが設けられ、内筒５の周面に複数のホース接続部６ｃが設けられている。
【０００４】
上部旋回体２には図示しない油圧ポンプから作動油が供給されるコントロールバルブ装置７が設置され、このコントロールバルブ装置７とスイベルジョイント３の外筒４の各ホース接続部６ａ，６ｂとの間が各ホース８ａ，８ｂで接続されている。下部走行体１には作動油で作動する走行モータ９を有する両側の走行装置１０が設けられ、これら両側の走行装置１０の走行モータ９とスイベルジョイント３の内筒５の各ホース接続部６ｃとの間が各ホース８ｃで接続されている。そして、コントロールバルブ装置７により、ホース８ａ，８ｂ、スイベルジョイント３およびホース８ｃを通じ、作動油が走行モータ９に対して給排される。
【０００５】
また、スイベルジョイント３に関しては次のような位置関係がある。上部旋回体２にはこの上部旋回体２の前面の一側寄り位置に図示しない作業装置を取り付ける関係から複数の壁部（ブラケット）１１が一側寄りに立設され、この壁部１１とスイベルジョイント３とが接近して配置されている。壁部１１に接近配置されているスイベルジョイント３の外筒４の一側および他側のホース接続部６ａ，６ｂは壁部１１の表面に沿った方向に向けられ、一側のホース接続部６ａはコントロールバルブ装置７側に向かって位置し、他側のホース接続部６ｂはコントロールバルブ装置７と反対側に向かって位置している。スイベルジョイント３の他側近傍には上部旋回体２を下部走行体１に対して旋回させる旋回モータ１２が配置されている。
【０００６】
したがって、コントロールバルブ装置７からのホース８ａはスイベルジョイント３の一側のホース接続部６ａに直接接続されるが、ホース８ｂについては上述したスイベルジョイント３の位置関係の制約からスイベルジョイント３の他側のホース接続部６ｂに直接接続するのは困難であり、このホース８ｂをスイベルジョイント３に接続するのにスイベルジョイント３を迂回させなければならない制約がある。そのため、ホース８ｂはホース８ａと一緒にコントロールバルブ装置７からスイベルジョイント３の一側に導いてスイベルジョイント３の上方に迂回させ、このホース８ｂとスイベルジョイント３の他側のホース接続部６ｂとの間を別部品である配管装置１３で接続している。
【０００７】
配管装置１３は、直管形のパイプ１４を有し、このパイプ１４の両端にエルボ１５が取り付けられ、一端のエルボ１５側にはホース８ｂを接続する図示しないコネクタが取り付けられ、他端のエルボ１５側にはスイベルジョイント３の他側のホース接続部６ｂに取り付けられたコネクタ１６に結合する継手１７が取り付けられている。また、この配管装置１３に接続するホース８ｂの先端には、接続管１８が取り付けられ、この接続管１８に配管装置１３の一端のエルボ１５側のコネクタに結合する継手１９が取り付けられている。
【０００８】
そして、スイベルジョイント３の他側のホース接続部６ｂにホース８ｂを接続する場合には、まず、配管装置１３の他端を継手１７によってスイベルジョイント３の他側のホース接続部６ｂのコネクタ１６に接続し、次に、配管装置１３の一端にホース８ｂの先端を継手１９によって接続する。あるいは、まず、配管装置１３の一端とホース８ｂの先端とを継手１９によって接続し、次に、配管装置１３の他端を継手１７によってスイベルジョイント３の他側のホース接続部６ｂのコネクタ１６に接続する。
【０００９】
【特許文献１】
特開平９−１８９０４６号公報（第４頁、図５および図６）
【００１０】
【発明が解決しようとする課題】
上述のように、ホース８ｂをスイベルジョイント３の他側のホース接続部６ｂに接続するのにスイベルジョイント３を迂回させなければならない制約があるため、ホース８ｂとスイベルジョイント３の他側のホース接続部６ｂとの間を接続するのにホース８ｂとは別部品である配管装置１３を用いる必要があり、部品点数が増加し、接続作業が煩雑になる問題がある。
【００１１】
本発明は、このような点に鑑みなされたもので、ホース本体をスイベルジョイントに接続するのにスイベルジョイントを迂回させなければならない制約があっても、スイベルジョイントへの接続に必要とする部品点数を削減し、スイベルジョイントへの接続作業を容易にできるホース装置、およびこのホース装置を備えた作業機械を提供することを目的とする。
【００１２】
【課題を解決するための手段】
請求項１に記載された発明は、作業機械のスイベルジョイントに接続されるホース装置であって、スイベルジョイントを迂回して配置される可撓性を有するホース本体と、一端および他端がスイベルジョイント側に向き、一端がスイベルジョイントを迂回されるホース本体の先端に取り付けられ、他端がスイベルジョイントに接続されるベンディングホースとを具備したホース装置であり、ホース本体をスイベルジョイントに接続するのにスイベルジョイントを迂回させなければならない制約があっても、ホース本体にベンディングホースを取り付けたことで、スイベルジョイントへのホース装置の接続に別の配管装置を必要とせず、部品点数を削減し、接続作業を容易にできる。
【００１３】
請求項２に記載された発明は、請求項１記載のホース装置において、ベンディングホースは、一端側および他端側にそれぞれ曲げ部を有するとともにこれら曲げ部間に直線部を有する略コ字形に形成されたものであり、ベンディングホースを小形にでき、省スペース化できる。
【００１４】
請求項３に記載された発明は、請求項１または２記載のホース装置において、ベンディングホースの他端に、スイベルジョイントに着脱可能に結合する継手を設けたものであり、継手によってスイベルジョイントに着脱可能に結合できる。
【００１５】
請求項４に記載された発明は、下部走行体と、下部走行体に旋回可能に設けられた上部旋回体と、上部旋回体の旋回中心に設けられ、周面および下部に複数のホース接続部をそれぞれ有し、これら周面および下部のホース接続部を通じて上部旋回体と下部走行体との間で作動流体を流通させるスイベルジョイントと、ベンディングホースの一端のホース本体がスイベルジョイントの周面一側の方向から導かれ、ベンディングホースの他端がスイベルジョイントの周面他側のホース接続部に接続された請求項１乃至３のいずれか記載のホース装置とを具備した作業機械であり、ホース本体に金属製のベンディングホースを取り付けたことで、スイベルジョイントへのホース装置の接続に別の配管装置を必要とせず、下部走行体と上部旋回体との接続作業が容易な作業機械を提供できる。
【００１６】
【発明の実施の形態】
以下、本発明に係る実施の形態を図１乃至図４を参照して説明する。
【００１７】
図４に、作業機械としての油圧ショベル２１を示す。この油圧ショベル２１は、機械本体２２、およびこの機械本体２２の幅方向の両側に設けられた走行装置２３を備えている。
【００１８】
機械本体２２は、両側の走行装置２３によって自走可能な下部走行体２４の上側に旋回軸受部２５を介して上部旋回体２６が旋回可能に取り付けられて構成されている。下部走行体２４の前側にはブレード装置２７が取り付けられ、また、上部旋回体２６の上部に運転席２８が搭載され、上部旋回体２６の前面に掘削用の作業装置２９が取り付けられている。
【００１９】
走行装置２３は、トラックフレーム３１を有し、このトラックフレーム３１の周囲に無端状の履帯３２が配設され、トラックフレーム３１の後部側の一端に履帯３２を駆動するスプロケット３３が配設され、トラックフレーム３１の前部側の他端に履帯３２とともに自由回転するアイドラ３４が回転自在に配設され、トラックフレーム３１の中間部に履帯３２を案内する複数のガイドローラ３５が回転自在に配設されている。
【００２０】
また、図１および図２に示すように、下部走行体２４は、上面に旋回軸受部２５を搭載した走行機台３７を有し、この走行機台３７の幅方向の両側に走行装置２３が配設されている。各走行装置２３には、スプロケット３３を回転させる流体圧作動装置としての走行モータ３８が配設されている。
【００２１】
また、上部旋回体２６は、旋回軸受部２５を介して下部走行体２４に支持される旋回機台４０を有し、この旋回機台４０上には上部旋回体２６の旋回中心Ａの両側に一対の壁部４１，４２が立設されている。これら一対の壁部４１，４２は、上部旋回体２６の前面の一側寄り位置に作業装置２９を取り付ける関係から一側寄りに立設されており、一方の壁部４１が旋回中心Ａに接近配置されている。
【００２２】
上部旋回体２６の旋回機台４０上には、一対の壁部４１，４２間で旋回軸受部２５の周面に対応した位置に、上部旋回体２６を下部走行体２４に対して旋回させる旋回モータ４３が配置されている。この上部旋回体２６側の旋回モータ４３により図示しないピニオンを回転させ、下部走行体２４側の旋回軸受部２５に設けられた大径のインナギヤと噛合する上記ピニオンを駆動することで、下部走行体２４に対し上部旋回体２６を旋回させる。
【００２３】
上部旋回体２６の旋回中心Ａには、下部走行体２４と旋回する上部旋回体２６との間で作動流体としての作動油の流通を図るためのスイベルジョイント４４が配置されている。このスイベルジョイント４４は、上部旋回体２６側に取り付けられた外筒４５、およびこの外筒４５内を回動可能とするとともに外筒４５の下部から一部が突出して下部走行体２４側に取り付けられた内筒４６を有している。外筒４５の周面の一側および他側に複数のホース接続部４７ａ，４７ｂが設けられ、内筒４６の周面に複数のホース接続部４７ｃが設けられている。
【００２４】
複数のホース接続部４７ａ，４７ｂは、外筒４５内の軸方向の複数箇所に環状に配置され、相互にシールされた複数の周溝にそれぞれ連通され、複数のホース接続部４７ｃは、内筒４６内に設けられた複数の油路にそれぞれ連通され、各周溝と各油路とが１対１で連通されている。
【００２５】
上部旋回体２６の旋回機台４０上で壁部４２の外側には、図示しないエンジンによって駆動する油圧ポンプから作動油の供給を受けるとともに作業装置２９の各油圧シリンダおよび走行モータ３８や旋回モータ４３などの各流体圧作動装置に対して給排させる作動油を制御するコントロールバルブ装置４８が設置されている。なお、上部旋回体２６に搭載されたエンジン、油圧ポンプおよび油タンクなどによって作動流体圧源としての油圧源が構成されている。
【００２６】
そして、スイベルジョイント４４は、旋回中心Ａに寄っている壁部４１に接近して配置されており、スイベルジョイント４４の外筒４の一側および他側のホース接続部４７ａ，４７ｂは壁部４１の表面に沿った方向に向けられ、一側のホース接続部４７ａはコントロールバルブ装置４８側に向かって位置し、他側のホース接続部４７ｂはコントロールバルブ装置４８と反対側に向かって位置している。
【００２７】
上部旋回体２６において、スイベルジョイント４４の外筒４５の各ホース接続部４７ａ，４７ｂとコントロールバルブ装置４８との間が、旋回機台４０内に配置される各ホース装置４９ａ，４９ｂで接続されている。下部走行体２４において、スイベルジョイント４４の内筒４６の各ホース接続部４７ｃと下部走行体２４の両側の走行装置２３の各走行モータ３８との間が、走行機台３７およびトラックフレーム３１内に配置される各ホース装置４９ｃで接続されている。各走行モータ３８に接続されるホース装置４９ｃは作動油を給排するために各走行モータ３８毎に２本ずつ用いられ、これら各ホース装置４９ｃにスイベルジョイント４４を介して連通される各ホース装置４９ａ，４９ｂも給排用にそれぞれ２本ずつ用いられている。ホース装置４９ａ，４９ｂは、コントロールバルブ装置４８から壁部４２に形成された開口部４２ａを通じてスイベルジョイント４４に導かれ、中間部が束ね部材５０によって束ねられている。
【００２８】
また、図３に示すように、ホース装置４９ｂは、例えば可撓性を有するゴムと耐圧構造物とにて円筒状に形成されたホース本体５１を有し、このホース本体５１の先端にスイベルジョイント４４に接続するベンディングホース５２が取り付けられている。
【００２９】
ベンディングホース５２は、金属製で円筒状の管体５３を有し、この管体５３の一端および他端が中間部に対してそれぞれ側方へ向くように曲げ形成されており、すなわち、一端側および他端側にそれぞれ略直角方向に曲げ部５４，５５が形成され、これら曲げ部５４，５５間に直線部５６が形成され、全体として略コ字形に曲げ形成されている。
【００３０】
ベンディングホース５２の一端はホース本体５１の先端に固着により取り付けられている。ベンディングホース５２の一端にはホース本体５１内に挿入される円筒状の挿入部５７が突設され、この挿入部５７の外周にはホース本体５１の内周に食い込んで抜け止めするための複数の環状の凸部５８が軸方向に並列に形成されている。挿入部５７の基端側には、ホース本体５１の端面が当接する環状のストッパ部５９が突出形成されているとともに、このストッパ部５９との間に環状のかしめ溝６０を介して環状の鍔部６１が突出形成されている。挿入部５７の周囲に略円筒状のかしめ金具６２が配置され、このかしめ金具６２の端部が外径方向からかしめ溝６０にかしめてベンディングホース５２とかしめ金具６２とが固定されているとともに、かしめ金具６２の周囲が外径方向からホース本体５１にかしめてホース本体５１と挿入部５７とが圧着固定されている。これら挿入部５７、かしめ溝６０およびかしめ金具６２などによって、ベンディングホース５２の一端をホース本体５１の先端に固着する固着手段６３が構成されている。そして、図２に示すように、ベンディングホース５２の一端の向きは、ホース本体５１を接続する方向に対応しており、ベンディングホース５２の他端の向きに対して異なる方向としている。
【００３１】
ベンディングホース５２の他端は、スイベルジョイント４４のホース接続部４７ｂに予め取り付けられているアダプタ６５に着脱可能に結合される。このアダプタ６５は、一端にベンディングホース５２が取り付けられる外ねじ部６６が形成され、他端にホース接続部４７ｂに螺合して結合される外ねじ部６７が形成され、これら外ねじ部６６，６７間に六角レンチなどの工具を係合して操作可能とする六角形状部６８が形成されている。一端の外ねじ部６６の中心から他端の外ねじ部６７の中心にわたって作動油が流通する孔部６９が貫通形成されている。ベンディングホース５２が取り付けられる一端の外ねじ部６６の端面には環状の溝部７０が形成され、この溝部７０に環状のパッキング７１が配置されている。
【００３２】
ベンディングホース５２の他端には、スイベルジョイント４４のホース接続部４７ｂに予め取り付けられているアダプタ６５に着脱可能に結合される継手７３が取り付けられている。この継手７３は、ベンディングホース５２の先端に形成された大径部７４に係合して回転自在に取り付けられており、一端側に大径部７４より小径でベンディングホース５２の管体５３の周囲に回転自在に係合する係合孔７５を有する係合部７６が形成され、他端側には大径部７４より大径でアダプタ６５の外ねじ部６６に螺合する内ねじ７７が形成されている。継手７３の外周囲には六角レンチなどの工具を係合して操作可能とする六角形状部７８が形成されている。そして、継手７３の内ねじ７７をアダプタ６５の外ねじ部６６に螺合することにより、大径部７４の端面が外ねじ部６６の端面にパッキング７１を介して圧着して液密に結合される。
【００３３】
また、図１に示すように、２本のホース装置４９ｂのベンディングホース５２の中間部はブラケット７９によって壁部４１に支持されている。
【００３４】
また、図１および図２に示すように、ホース装置４９ａ，４９ｃについても、ホース装置４９ｂのホース本体５１と同様の可撓性を有するホース本体８１を有し、また、ホース装置４９ｂの基端、およびホース装置４９ａ，４９ｃの両端には、コントロールバルブ装置４８、スイベルジョイント４４のホース接続部４７ａ，４７ｃ、走行モータ３８などの各対応した箇所に着脱可能に結合する接続手段８２が取り付けられている。この接続手段８２は、略Ｌ字形などの接続金具や継手などを備えている。
【００３５】
次に、本実施の形態の作用効果を説明する。
【００３６】
上部旋回体２６側において、各ホース装置４９ａ，４９ｂは、コントロールバルブ装置４８から壁部４２に形成された開口部４２ａを通じてスイベルジョイント４４に導かれ、その中間部が束ね部材５０によって束ねられている。
【００３７】
各ホース装置４９ａの先端は、スイベルジョイント４４の周面一側に導かれてその周面一側の各ホース接続部４７ａに接続されている。
【００３８】
各ホース装置４９ｂについては、ホース本体５１がスイベルジョイント４４の周面一側の方向からスイベルジョイント４４の上端部の上方に迂回して導かれ、ベンディングホース５２の先端が継手７３によってスイベルジョイント４４の周面他側のホース接続部４７ｂに接続されたアダプタ６５に螺合されて結合されている。各ホース装置４９ｂのベンディングホース５２の中間部の直線部５６は、スイベルジョイント４４の周面他側の側方で上下方向に配置され、ブラケット７９によって壁部４１に支持されている。
【００３９】
そして、ホース装置４９ｂはホース装置４９ａと一緒にスイベルジョイント４４の周面一側から導かれること、スイベルジョイント４４は上部旋回体２６の壁部４１に接近して配置されること、スイベルジョイント４４の他側近傍には上部旋回体２６を下部走行体２４に対して旋回させる旋回モータ４３が配置されることなどにより、ホース装置４９ｂをスイベルジョイント４４の周面他側のホース接続部４７ｂに接続するのにスイベルジョイント４４を迂回させなければならない制約がある。
【００４０】
ホース装置４９ｂは、一端および他端がスイベルジョイント４４側に向くように曲げ形成した金属製のベンディングホース５２を備え、このベンディングホース５２の一端をスイベルジョイント４４を迂回するホース本体５１の先端に固着し、他端をスイベルジョイント４４の周面他側のホース接続部４７ｂに接続するため、ホース装置４９ｂをスイベルジョイント４４の周面他側のホース接続部４７ｂに接続するのにスイベルジョイント４４を迂回させなければならない制約があっても、スイベルジョイント４４へのホース装置４９ｂの接続に別の配管装置を必要とせず、部品点数を削減し、接続作業を容易にできる。
【００４１】
さらに、ホース装置４９ｂのベンディングホース５２は、一端側および他端側にそれぞれ曲げ部５４，５５を有するとともにこれら曲げ部５４，５５間に直線部５６を有する略コ字形に形成することにより、ベンディングホース５２を小形にでき、省スペース化できる。
【００４２】
また、ホース装置４９ｂのベンディングホース５２の他端に設けた継手７３によって、スイベルジョイント４４に着脱可能に結合でき、メンテナンスも容易にできる。
【００４３】
なお、ホース装置４９ｂのベンディングホース５２の形状は、一端および他端が中間部に対してそれぞれ側方へ向くように曲げ形成されていれば、前記実施の形態のような略コ字形に限らず、略Ｃ字形などに彎曲した形状でもよい。
【００４４】
また、ホース装置４９ｂのベンディングホース５２のホース本体５１に固着される一端の向きは、ホース本体５１を接続する方向に対応しており、ベンディングホース５２の他端の向きに対して異なる方向でもあるいは同一方向でもよい。
【００４５】
【発明の効果】
請求項１記載の発明によれば、ホース装置は、一端および他端がスイベルジョイント側に向くベンディングホースを備え、このベンディングホースの一端をスイベルジョイントを迂回されるホース本体の先端に取り付け、他端をスイベルジョイントに接続するため、ホース本体をスイベルジョイントに接続するのにスイベルジョイントを迂回させなければならない制約があっても、スイベルジョイントへのホース装置の接続に別の配管装置を必要とせず、部品点数を削減し、接続作業を容易にできる。
【００４６】
請求項２記載の発明によれば、ホース装置のベンディングホースを、一端側および他端側にそれぞれ曲げ部を有するとともにこれら曲げ部間に直線部を有する略コ字形に形成したため、ベンディングホースを小形にでき、省スペース化できる。
【００４７】
請求項３記載の発明によれば、ホース装置のベンディングホースの他端に設けた継手によって、スイベルジョイントに着脱可能に結合できる。
【００４８】
請求項４記載の発明によれば、ホース装置のホース本体をスイベルジョイントの周面一側の方向から迂回させて導き、ベンディングホースをスイベルジョイントの周面他側のホース接続部に接続するため、スイベルジョイントへのホース装置の接続に別の配管装置を必要とせず、接続作業が容易な作業機械を提供できる。
【図面の簡単な説明】
【図１】本発明に係るホース装置および作業機械の一実施の形態を示す内部構造の側面図である。
【図２】同上作業機械の内部構造の平面図である。
【図３】同上ホース装置の断面図である。
【図４】同上作業機械の側面図である。
【図５】従来の作業機械の内部構造の側面図である。
【図６】従来の作業機械の内部構造の平面図である。
【符号の説明】
２１　　作業機械としての油圧ショベル
２４　　下部走行体
２６　　上部旋回体
４４　　スイベルジョイント
４７ｂ　　ホース接続部
４９ｂ　　ホース装置
５１　　ホース本体
５２　　ベンディングホース
５４，５５　　曲げ部
５６　　直線部
７３　　継手
【図１】
2004116197.tif 000003
【図２】
2004116197.tif 000004
【図３】
2004116197.tif 000005
【図４】
2004116197.tif 000006
【図５】
2004116197.tif 000007
【図６】
2004116197.tif 000008